(57)【要約】      （修正有）【課題】引張コイルスプリングの弛緩を防止する特別なロック機構を設けることなく機械工業的なウォームギヤ構成を引張コイルスプリングの張力加減機構を内蔵するドラムペダル駆動対抗用コイルスプリングテンションロック装置を提供する。【解決手段】引張コイルスプリング１の一端は、支持ポスト８に挿通させた足踏みペダルで働く押打棒の駆動軸と同軸の支片と固定する。他端は、支持ポスト８に固着されたウォームギヤを内蔵した歯車機構枠９のウォームホイール１２の軸心に螺挿させたテンション調節螺杆１３と螺着すると共に、ウォームホイール１２よりの伝導をロックするウォーム１１の軸杆を回動調整して引張コイルスプリング１の張力を強弱可変する。【選択図】図２
2016057345.tif 000002
【特許請求の範囲】
【請求項１】
引張コイルスプリングの一端は、支持ポストに挿通させた足踏みペダルで働く押打棒の駆動軸と同軸の支片と固定し、他端は、前記支持ポストに固着されたウォームギヤを内蔵した歯車機構枠のウォームホイールの軸心に螺挿させたテンション調節螺杆と螺着すると共に、前記ウォームホイールよりの伝導をロックするウォームの軸杆を回動調整して前記引張コイルスプリングの張力を強弱可変できるようにして成ることを特徴とするドラムペダル駆動対抗用コイルスプリングテンションロック装置。
【請求項２】
引張コイルスプリングの両端は、捲回部としてＵ字状枠体の円板に捲装し、前記Ｕ字状枠体の螺合部については、一端は駆動軸に設けた支片と接続し、他端は歯車機構枠のウォームホイールに縦装させたテンション調節螺杆と螺合連結させて成ることを特徴とする請求項１記載のドラムペダル駆動対抗用コイルスプリングテンションロック装置。
【請求項３】
ウォームギヤを内蔵した歯車機構枠は、支持ポストに対して支持ポストと一体形成するか、別個形成されたものを組み込んで形成するか、いずれか一方であることを特徴とする請求項１記載のドラムペダル駆動対抗用コイルスプリングテンションロック装置。
【発明の詳細な説明】
【技術分野】
【０００１】
本発明は、足踏みペダルで、押打ちする押打棒の回動をバネ調節することが可能で、特にバネ張力が変動しない構造としたドラムペダル駆動対抗用コイルスプリングテンションロック装置に関する。
【背景技術】
【０００２】
従来、足踏みペダルでバスドラムを押打する押打棒と、この押打棒と連動する復元用のコイルスプリングが知られ、支柱ポストに取り付けられ、演奏時に緩みを防止するため回り止め装置が設けられている（例えば、特許文献１参照）。
【０００３】
そして、更に支柱ポストの固定突起形状の位置固定ナットと反対側から更に別の緩み防止ナットで固定突起形状をサンドイッチする様にダブルナット式上下でシャフトを固定する構造となっているものが一般的である（例えば、特許文献１、２及び３参照）。
【先行技術文献】
【特許文献】
【０００４】
【特許文献１】米国特許第５，３６５，８２４
【特許文献２】米国特許第７，８７５，７８３  Ｂ２
【特許文献３】米国特許第７，７５４，９５３  Ｂ２
【発明の概要】
【発明が解決しようとする課題】
【０００５】
上記した特許文献では、テンションスプリングは最大で１０ｋｇｆ程の張力を保持しなければならず、指先でスプリングを引き下げるか、小さなナットを指で回してシャフトを上下させる操作は比較的困難で場合によっては指先の痛みを伴う。
【０００６】
本発明は、叙上の点を着目して成されたもので、ウォームホイールとウォームの逆転不可能な機械構造性質を利用し、テンション調整を操作するだけで緩み防止ナットで固定する必要がなく、また、ウォームホイールと一体になったウォームの回転軸を用いて簡単な工具を用いて調整する為、楽な力で非常に微細な調整操作が可能とすることを特徴とする。
【課題を解決するための手段】
【０００７】
この発明は下記の構成を備えることにより上記課題を解決できるものである。
【０００８】
（１）引張コイルスプリングの一端は、支持ポストに挿通させた足踏みペダルで働く押打棒の駆動軸と同軸の支片と固定し、他端は、前記支持ポストに固着されたウォームギヤを内蔵した歯車機構枠のウォームホイールの軸心に螺挿させたテンション調節螺杆と螺着すると共に、前記ウォームホイールよりの伝導をロックするウォームの軸杆を回動調整して前記引張コイルスプリングの張力を強弱可変できるようにして成ることを特徴とするドラムペダル駆動対抗用コイルスプリングテンションロック装置。
【０００９】
（２）引張コイルスプリングの両端は、捲回部としてＵ字状枠体の円板に捲装し、前記Ｕ字状枠体の螺合部については、一端は駆動軸に設けた支片と接続し、他端は歯車機構枠のウォームホイールに縦装させたテンション調節螺杆と螺合連結させて成ることを特徴とする前記（１）記載のドラムペダル駆動対抗用コイルスプリングテンションロック装置。
【００１０】
（３）ウォームギヤを内蔵した歯車機構枠は、支持ポストに対して支持ポストと一体形成するか、別個形成されたものを組み込んで形成するか、いずれか一方であることを特徴とする前記（１）記載のドラムペダル駆動対抗用コイルスプリングテンションロック装置。
【発明の効果】
【００１１】
本発明によれば、引張コイルスプリングの両端は、捻回しない構成のＵ字状枠体で支持され、引張コイルスプリングの下端は、ウォームギヤを内蔵した歯車機構枠のテンション調節螺杆と連結され、更にテンション調節螺杆を螺合させたウォームホイールは逆方向への移行を防ぐウォームと噛合させているので、常にロックが掛かり、不用意な緩めを生ずることがない。
【図面の簡単な説明】
【００１２】
【図１】本発明に係るドラムペダル駆動対抗用コイルスプリングテンションロック装置の使用状態を示す斜視図
【図２】図１の引張コイルスプリングの張力を可変する支持ポストに固着された歯車機構枠で支持されてウォームギヤと連結されるテンション調節螺杆との接続を示す断面図で、（ａ）横断面図、（ｂ）縦断正面図、（ｃ）縦断側面図
【図３】図２の構成を分解して示す斜視図
【図４】引張コイルスプリングの作動状態を示す側面図
【発明を実施するための形態】
【００１３】
以下本発明を実施するための最良の形態を、実施例により詳しく説明する。
【実施例】
【００１４】
以下に、本発明の一実施例を図面と共に説明する。
【００１５】
１は、テンションスプリングであって、引張コイルスプリングを示し、一端１ａ及び他端１ｂはいずれも捲回部を形成し、同一構造のＵ字状枠体２で軸支３させた円板４に捲装されている。５は、押打棒６を軸支する駆動軸で、前記引張コイルスプリング１の一端１ａを支持している前記Ｕ字状枠体２が掛止される支片７を固着させてある。
【００１６】
８は支持ポストで、上部には前記駆動軸５を挿通支持し、併せて下部にはウォームギヤを内蔵した歯車機構枠９を複数のビス１０によって支持させてある。１１は、前記歯車機構枠９内に配設される軸杆１１ａを備えた「ねじ歯車」のウォーム、１２は、これと噛合する「はす歯歯車」のウォームホイール、１３は、このウォームホイール１２の中心孔の雌螺孔１４と螺合する雄螺孔を刻設したテンション調節螺杆を示し、このテンション調節螺杆１３の先端は、前記引張コイルスプリング１の他端１ｂに設けたＵ字状枠体２と同一構成のものに設けた螺孔接続部１５と螺合緊締させてあり、且つ止ビス１６によって弛緩を防いでいる。そして、駆動軸５の支片７と、支持ポスト８に固着した前記歯車機構枠９のテンション調節螺杆１３及び引張コイルスプリング１を結ぶ中心線Ｏ−Ｏは垂直状態であることが好ましい。なお、図において１７は足踏みペダルを示す。
【００１７】
叙上の構成の下、作用を説明する。
引張コイルスプリング１の張力は、演奏者の意向で歯車機構枠９に臨まれるウォーム１１の軸杆１１ａを工具を用いて、正逆方向に回転させて引張コイルスプリング１の張力を緩めたり強くすることができる。
【００１８】
即ち、ウォーム１１と噛合されているウォームホイール１２は、予め設定された減速比の下に回転して、ウォームホイール１２内の雌螺孔１４と噛合しているテンション調節螺杆１３は中心線Ｏ−Ｏ上で上下行して引張コイルスプリング１の張力を加減できる。
【００１９】
足踏みペダル１７で働く押打棒６の駆動軸５の回動により引張コイルスプリング１は支片７の従動で張力が増大すると共に、押打棒６の帰動に際し、引張コイルスプリング１は、復元力を得て現状に戻る。
【００２０】
斯様に、足踏みペダル１７による押打棒６の反復作動により、引張コイルスプリング１は、伸縮作用を反覆継続するが、引張コイルスプリング１と連結されている歯車機構枠９内のウォームギヤを構成するテンション調節螺杆１３はＵ字状枠体２の螺孔接続部１５において、止ビス１６を含めて確固に緊締しており、特にテンション調節螺杆１３は「はす歯歯車」のウォームホイール１２に縦装されているので、「ねじ歯車」のウォーム１１への伝達は阻止され、従って、緩みを生ずることがない。
【００２１】
依って、引張コイルスプリング１は反覆伸縮作動にも拘わらず、不用意な張力の減少はなく、常に適正な引張力の下に作動できる。
【００２２】
以上の実施例では、歯車機構枠９は支持ポスト８に対して別個形成してビス１０で固着しているが、支持ポスト８の形成に際し、予め一体に形成して製造作業を簡易化することもできる（図示せず）。
【００２３】
更に、支持ポスト８に対し、図示とは対称反対位置に組み込むことができる（図示せず）。
【符号の説明】
【００２４】
１      引張コイルスプリング（テンションスプリング）
１ａ    一端
１ｂ    他端
２      Ｕ字状枠体
３      軸支
４      円板
５      駆動軸
６      押打棒
７      支片
８      支持ポスト
９      歯車機構枠
１０    ビス
１１    ウォーム
１１ａ  軸杆
１２    ウォームホイール
１３    テンション調節螺杆
１４    雌螺孔
１５    螺孔接続部
１６    止ビス
１７    足踏みペダル
【図１】
2016057345.tif 000003
【図２】
2016057345.tif 000004
【図３】
2016057345.tif 000005
【図４】
2016057345.tif 000006